(57)【要約】      （修正有）【課題】ガムなどのように一定の大きさを有する多数の内容物を収納した内部ケースをスライド方式で移動させて開閉すると同時に、内容物を一つずつ手軽に取り出して食べられるようにした収納容器を提供する。【解決手段】一定の大きさを有する多数の内容物を保管できる空間部１１２を有する内部ケース１１０と；前記内部ケース１１０が内側で前後にスライド移動できるように組み立てられ、前記内部ケース１１０の先端部を取り出すことができる吐出口１２３を有する外部ケース１２０；から構成され、前記内部ケース１１０は、外部ケース１２０の外に取り出しできる先端部に前記空間部１１２と連通できるように形成され、空間部１１２の内容物を一つずつ収容して排出するようになる排出部１１４を有することを特徴とする、内容物の取り出しが容易な収納容器１００を提供する。【選択図】図３
0003197235.tif 000002
【実用新案登録請求の範囲】
【請求項１】
一定の大きさを有する多数の内容物を保管できる空間部を有する内部ケースと、
前記内部ケースが内側で前後にスライド移動できるように組み立てられ、前記内部ケースの先端部を取り出すことができる吐出口を有する外部ケースと
から構成され、
前記内部ケースは、外部ケースの外へ取り出すことができる先端部に前記空間部と連通できるように形成され、空間部の内容物を一つずつ収容するようになる排出部を有することを特徴とする、内容物の取り出しが容易な収納容器。
【請求項２】
前記内部ケースは、その両側の外壁面が外部ケースの両側の内壁面に接した状態で外部ケースの内部へスライド移動ができるように組み立てられ、前記外部ケースの両側の内壁面と内部ケースの両側の外壁面には外部ケース内に組み立てられた内部ケースのスライド移動を制限する係合構造が形成されたことを特徴とする、請求項１に記載の内容物の取り出しが容易な収納容器。
【請求項３】
前記内部ケースは、その両側の外壁面が外部ケースの両側の内壁面に接した状態で外部ケースの内部へスライド移動ができるように組み立てられ、
前記外部ケースの両側の内壁面には多数の係合突起が前後方向に配列されるように形成され、前記内部ケースの両側の外壁面には前記各係合突起が引入及び離脱できる多数の固定溝が前後方向に配列されるように形成され、前記内部ケースのスライド移動を制限できるようになったことを特徴とする、請求項１に記載の内容物の取り出しが容易な収納容器。
【請求項４】
前記内部ケースは、その両側の外壁面が外部ケースの両側の内壁面に接した状態で外部ケースの内部へスライド移動ができるように組み立てられ、
前記外部ケースの両側の内壁面には多数の固定溝が前後方向に配列されるように形成され、前記内部ケースの両側の外壁面には前記各固定溝に引入及び離脱できる多数の係合突起が前後方向に配列されるように形成され、前記内部ケースのスライド移動を制限できるようになったことを特徴とする、請求項１に記載の内容物の取り出しが容易な収納容器。
【請求項５】
前記内部ケースは、前記空間部を有する保管部と前記排出部を有する取り出し部が一体に形成されたもので、前記取り出し部は外部ケースの吐出口以下の高さに形成され、前記保管部は外部ケースの吐出口より高く形成されて、前記取り出し部は外部ケースの吐出口を通じて取り出しできるようになり、前記保管部は外部ケースの吐出口を通じて取り出しできないことを特徴とする、請求項１に記載の内容物の取り出しが容易な収納容器。
【請求項６】
前記外部ケースは、内部に組み立てられた内部ケースの後端部を押し出すことができるように露出するための開口部を有することを特徴とする、請求項１に記載の内容物の取り出しが容易な収納容器。
【請求項７】
前記外部ケースまたは外部ケースの上部は透明に形成され、その内部を投影できるようになったことを特徴とする、請求項１に記載の内容物の取り出しが容易な収納容器。
【請求項８】
前記内部ケースはその外側の底面に第１係合部が形成され、前記外部ケースはその内側の底面に第２係合部が形成され、前記第１係合部と第２係合部は嵌合状態で移動できるように結合されることを特徴とする、請求項１に記載の内容物の取り出しが容易な収納容器。
【請求項９】
前記外部ケースは、アッパーケースとロウアケースから構成され、前記ロウアケースには左右両側に第１壁面部と第２壁面部で囲まれたサイド空間部が備えられ、前記アッパーケースには前記サイド空間部に挿入する時、前記第１壁面部と第２壁面部によって押圧されて弾性復元力を生成する第１嵌合部と第２嵌合部が備えられたことを特徴とする、請求項１に記載の内容物の取り出しが容易な収納容器。
【請求項１０】
前記第１壁面部には、その外側面にアッパーケースの第２嵌合部が保持される安着溝が形成され、前記安着溝の端には第２嵌合部の端に突出形成された係合突起が挿入される凹部が形成されたことを特徴とする、請求項９に記載の内容物の取り出しが容易な収納容器。
【請求項１１】
前記第１壁面部には、その内側面に内部ケースのスライド移動をガイドするためのガイド突起が形成されたことを特徴とする、請求項９に記載の内容物の取り出しが容易な収納容器。
【考案の詳細な説明】
【技術分野】
【０００１】
本考案は、ガムなどのような内容物の取り出しが容易な収納容器に関するものである。
【背景技術】
【０００２】
一般的にガムの収納容器は、内部に多数のガムを収納して密閉された状態で保管し、必要な時ガムを取り出して食べられるようになっている。
【０００３】
図１及び図２は、従来の一般的なガムの収納容器の斜視図及び断面図を示したものである。
【０００４】
図１及び図２に示したように、従来のガムの収納容器は、上端に開口部３を有し、内部に内容物のガムが収納できる空間を有するボディー１と、前記ボディー１の上端部に着脱できるように結合されて開口部３を開閉する蓋２から構成されている。
【０００５】
この時、容器の材質(普通、プラスチック)と製作工程の特性上、直径が小さい部分であるほど優れた強度を有するため、前記開口部３はボディー１の直径に比べて小さい直径を有するように形成される。
【０００６】
消費者は、前記のような従来のガムの収納容器を用いたガム製品を購入して食べる場合、蓋２の下面に連設される開封防止引裂き部(pilfer proof tear)を除いた後、蓋２を取って上にあげることで蓋２を開放し、蓋２を開放した後、開口部３を通じて内容物を取り出し、食べられるようになる。
【０００７】
前記のようなガムの収納容器は、開放後に内部に収納されたガムを取り出して食べるためには、普通開放された開口部３の中に指を直接入れてガムを取り出したり、または開放された開口部３を手の平に傾けてガムを取り出すことになる。
【０００８】
しかし、従来のガムの収納容器は、内容物を取り出す時、開放された開口部３の中に指を直接入れてガムを取り出す場合、他のガム(取り出そうとするガムの周りのガム)にも指が触れることになって非衛生的であり、また、開放された開口部３を手の平に傾けてガムを取り出す場合、多くのガムが同時に溢れ出るため、多量の内容物が露出された状態で手で一つずつつまんで食べなければならないので、１〜２粒ずつ、といった少量を食べるのが困難という短所があった。
【考案の概要】
【考案が解決しようとする課題】
【０００９】
本考案は、前記のような点に鑑みて案出したもので、ガムなどのように一定の大きさを有する多数の内容物を収納した内部ケースをスライド方式で移動させて開閉すると同時に、内容物を一つずつ手軽に取り出して食べられるようにした収納容器を提供することにその目的がある。
【課題を解決するための手段】
【００１０】
本考案では、一定の大きさを有する多数の内容物を保管できる空間部を有する内部ケースと；前記内部ケースが内側で前後にスライド移動できるように組み立てられ、前記内部ケースの先端部を取り出すことができる吐出口を有する外部ケース；から構成され、前記内部ケースは、外部ケースの外へ取り出すことができる先端部に前記空間部と連通できるように形成され、空間部の内容物を一つずつ収容して排出するようになる排出部を有することを特徴とする、内容物の取り出しが容易な収納容器を提供する。
【００１１】
本考案の実施例によると、前記内部ケースは、その両側の外壁面が外部ケースの両側の内壁面に接した状態で外部ケースの内部へスライド移動ができるように組み立てられ、前記外部ケースの両側の内壁面と内部ケースの両側の外壁面には外部ケース内に組み立てられた内部ケースのスライド移動を制限する係合構造が形成されて、人為的な外力が加わる前までは内部ケースと外部ケースの間に結合状態を維持するようになる。
【００１２】
一例として、前記外部ケースの両側の内壁面には多数の係合突起が前後方向に配列されるように形成され、前記内部ケースの両側の外壁面には前記各係合突起が引入及び離脱できる多数の固定溝が前後方向に配列されるように形成され、前記内部ケースのスライド移動を制限できるようになる。
【００１３】
他の例として、前記外部ケースの両側の内壁面には多数の固定溝が前後方向に配列されるように形成され、前記内部ケースの両側の外壁面には前記各固定溝に引入及び離脱できる多数の係合突起が前後方向に配列されるように形成され、前記内部ケースのスライド移動を制限できるようになる。
【００１４】
また、本考案の実施例によると、前記内部ケースは、前記空間部を有する保管部と前記排出部を有する取り出し部が一体に形成されたもので、前記取り出し部は外部ケースの吐出口以下の高さに形成され、前記保管部は外部ケースの吐出口より高く形成され、前記取り出し部は外部ケースの吐出口を通じて取り出しできるようになり、前記保管部は外部ケースの吐出口を通じて取り出しできない。
【００１５】
また、本考案の実施例によると、前記外部ケースは、内部に組み立てられた内部ケースの後端部を押し出すことができるように露出するための開口部を備え、前記外部ケースまたは外部ケースの上部は透明に形成され、その内部を投影できるように構成される。
【００１６】
また、本考案の実施例によると、前記内部ケースはその外側の底面に第１係合部が形成され、前記外部ケースはその内側の底面に第２係合部が形成され、前記第１係合部と第２係合部は嵌合状態で移動できるように結合される。
【００１７】
また、本考案の実施例によると、前記外部ケースは、アッパーケースとロウアケースから構成され、前記ロウアケースには左右両側に第１壁面部と第２壁面部で囲まれたサイド空間部が備えられ、前記アッパーケースには前記サイド空間部に挿入する時、前記第１壁面部と第２壁面部によって押圧されて弾性復元力を生成する第１嵌合部と第２嵌合部が備えられる。
【００１８】
また、本考案の実施例によると、前記第１壁面部には、その外側面にアッパーケースの第２嵌合部が保持される安着溝が形成され、前記安着溝の端には第２嵌合部の端に突出形成された係合突起が挿入される凹部が形成される。
【００１９】
また、本考案の実施例によると、前記第１壁面部には、その内側面に内部ケースのスライド移動をガイドするためのガイド突起が形成される。
【考案の効果】
【００２０】
本考案によると、ガムなどのような一定の大きさの内容物を多量保管した内部ケースを手軽に開閉でき、内部ケースの開放と同時に内容物を一つずつ容易に食べられるようになる。
【図面の簡単な説明】
【００２１】
【図１】従来の一般的なガムの収納容器を示した斜視図。
【図２】従来の一般的なガムの収納容器を示した断面図。
【図３】本考案の一実施例による収納容器を示した分解斜視図。
【図４】本考案の一実施例による収納容器を示した結合斜視図及び平面投影図。
【図５】本考案の一実施例による収納容器の内部ケースを示した図。
【図６】本考案の一実施例による収納容器の外部ケースを示した図。
【図７】本考案の一実施例による収納容器の使用状態を示した図。
【図８】本考案の他の実施例による収納容器を示した分解斜視図。
【図９】本考案の他の実施例による収納容器の内部ケースを示した図。
【図１０】本考案の他の実施例による収納容器のアッパーケースを示した図。
【図１１】本考案の他の実施例による収納容器の嵌合構造を示した図。
【図１２】本考案の他の実施例による収納容器の使用状態を示した図。
【考案を実施するための形態】
【００２２】
以下、添付した図面を参照して本考案の好ましい実施例について説明する。
【００２３】
図３及び図４で示したように、本考案の一実施例による収納容器１００は、ガムなどのように一定の大きさを有する内容物を多数収納して保管できる内部ケース１１０と、内部にて前記内部ケース１１０がスライド移動できるように組み立てられる外部ケース１２０から構成される。
【００２４】
図３ないし５で示したように、内部ケース１１０は多数の内容物を保管できる空間部１１２を有する保管部１１１と、前記内容物のうち、いずれか一つの内容物を収容して排出するようになる排出部１１４を有する取り出し部１１３が一体に形成されたもので、前記排出部１１４は空間部１１２と連通可能に形成されて空間部１１２から引入される一つの内容物を収容することになり、以後取り出し部１１３が外部ケース１２０の外に取り出されることで、開放されて収容した一つの内容物を外部ケース１２０の外に排出できるようになる。
【００２５】
前記取り出し部１１３は、内部ケース１１０のスライド移動によって外部ケース１２０の外に取り出すことができる。
【００２６】
すなわち、前記内部ケース１１０は、多数の内容物を収容できる保管部１１１と前記保管部１１１の先端に突出されるように一体に形成された取り出し部１１３から形成され、前記取り出し部１１３にはその中央に前記内容物のうち、いずれか一つを収容及び排出できる大きさの排出部１１４が形成されていて、前記排出部１１４を通じて内容物を一つずつ吐出できるようになる。
【００２７】
この時、前記排出部１１４は、一定の大きさを有する内容物を一つだけ収容できる大きさになっている。
【００２８】
図５で示したように、前記排出部１１４は、上端が開放された空間の形態になっており、一つの内容物が収容された状態で外部ケース１２０の外に吐出されることで、収納容器１００を傾けたり覆すと同時に内部の内容物を排出できるようになる。
【００２９】
このような内部ケース１１０は、外部ケース１２０の内側に前後方向にスライド移動ができるように組み立てられ、前方へスライド移動する時、取り出し部１１３が外部ケース１２０の吐出口１２３を通じて外部ケース１２０の外に取り出されるようになる。
【００３０】
すなわち、外部ケース１２０は、前記内部ケース１１０が内側で前後にスライド移動できるように組み立てられ、前記内部ケース１１０の先端部(取り出し部)を外部に取り出すことができる吐出口１２３を有する。
【００３１】
図３及び図６で示したように、前記外部ケース１２０は、接合などによって互いに結合され、内部ケース１１０を囲むように(包むように)なるアッパーケース１２１とロウアケース１２２からなり、内部に組み立てられた内部ケース１１０に保管された内容物を取り出す過程で、間違いを最小化するために透明な特性を有するプラスチック素材を利用して形成される。
【００３２】
例えば、前記外部ケース１２０は内容物が内部ケース１１０の排出部１１４に一つずつ収容される過程を直観的に確認できるようにするために、全体的に透明に形成されたり、または内部ケース１１０の空間部１１２及び排出部１１４を覆うアッパーケース１２１だけ透明に形成される。
【００３３】
また、前記外部ケース１２０の両側の内壁面と内部ケース１１０の両側の外壁面には外部ケース１２０内に組み立てられた内部ケース１１０のスライド移動を制限する係合構造が形成される。
【００３４】
内部ケース１１０は、両側の外壁面が外部ケース１２０の両側の内壁面に接した状態で外部ケース１２０の内部でスライド移動できるように組み立てられるが、この時内部ケース１１０と外部ケース１２０の間に結合状態を維持及び支持するために内部ケース１１０のスライド移動を制限する前記の係合構造を備える。
【００３５】
ここで使用者が人為的に力を加えて内部ケース１１０を押す前には、前記の係合構造によって発生する嵌合力により、内部ケース１１０と外部ケース１２０の間の結合状態(あるいはロック状態)が維持され、使用者が前記嵌合力より大きい力を加えて内部ケース１１０を前方へ押すと、内部ケース１１０が外部ケース１２０内でスライド移動することになる。
【００３６】
具体的に、外部ケース１２０は両側の内壁面に内部ケース１１０のスライド移動を制限するための多数の係合突起１２４が突出して形成される。
【００３７】
前記係合突起１２４は、多数で構成され、外部ケース１２０の両側の内壁面に前後方向に配列され、内部ケース１１０は両側の外壁面に前記各係合突起１２４が引入及び離脱(係合及び係合解除)できる多数の固定溝１１５が前後方向に配列されるように形成される。
【００３８】
これによって、内部ケース１１０が外部ケース１２０の内部で前方または後方へスライド移動する時、前記係合突起１２４が固定溝１１５に引っ掛かったり、固定溝１１５を脱しながら内部ケース１１０の移動を制限すると同時に内部ケース１１０を一定間隔で移動させる。
【００３９】
この時、前記多数の係合突起１２４間の間隔及び多数の固定溝１１５間の間隔は一定に形成される。
【００４０】
また、図面には図示していないが、内部ケース１１０の両側の外壁面に多数の係合突起が形成され、外部ケース１２０の両側の内壁面に前記各係合突起が引入及び離脱できる多数の固定溝が形成されて、内部ケース１１０のスライド移動を制限できるようにすることも可能である。
【００４１】
一方、外部ケース１２０は内部に組み立てられた内部ケース１１０の後段部を使用者が簡単に押し出すことができるように露出するための開口部１２５を備える。
【００４２】
そして、内部ケース１１０は取り出し部１１３が保管部１１１に比べて相対的に低く形成されるが、この時、前記取り出し部１１３は外部ケース１２０の吐出口１２３以下の高さに形成され、前記保管部１１１は外部ケース１２０の吐出口１２３より高く形成され、前記取り出し部１１３は外部ケース１２０の吐出口１２３を通じて取り出しできるようになり、前記保管部１１１は外部ケース１２０の吐出口１２３を通じて取り出しできない。
【００４３】
例えば、外部ケース１２０の吐出口１２３は取り出し部１１３より少し高くて取り出し部１１３が出入りできる程度に形成されることで保管部１１１の出入りを不可能にすることができる。
【００４４】
ここで、外部ケース１２０は、吐出口１２３の上端部が内部ケース１１０のスライド移動時、ストッパの役割をする。
【００４５】
すなわち、内部ケース１１０の取り出し部１１３は保管部１１１より低く形成され、外部ケース１２０の吐出口１２３は取り出し部１１３の高さに相応する上下の幅を持つように形成されることで、取り出し部１１３は外部ケース１２０の吐出口１２３を通じて外部へ取り出しできるようになり、保管部１１１は外部ケース１２０の吐出口１２３を通じて取り出しできないことになり、これによって内部ケース１１０のスライド移動時、取り出し部１１３だけ外部ケース１２０の外に吐出されるようにして内部ケース１１０の脱去を防止し、外部ケース１２０と内部ケース１１０の間に結合状態を保つようになる。
【００４６】
以下、前記のように構成された収納容器の作動状態を一例として説明すると次のとおりである。
【００４７】
図７で示したように、使用者が外部ケース１２０の開口部１２５を通じて露出された内部ケース１１０の後段部(保管部)を前方へ押すと、内部ケース１１０の取り出し部１１３が外部ケース１２０の外へ排出されながら排出部１１４が開放される。
【００４８】
この時、前記排出部１１４は一つの内容物だけ収納できる大きさになっていて、一つの内容物が収容された状態で排出され、収納容器１００を一方に傾けると排出部１１４に収容された内容物が外に吐出されて食べられるようになる。
【００４９】
特に、内部ケース１１０が前方へ移動すると同時に、内部ケース１１０の固定溝１１５が外部ケース１２０の係合突起１２４を通過しながら内部ケース１１０が制限されたスライド移動をするようになり、これによって取り出し部１１３が急に外部ケース１２０の外に瞬時に排出される状態を防止し、内部ケース１１０が外部ケース１２０の外に吐出されることを感知できるようになる。
【００５０】
以後、収納容器１００を振るなどの動作によって空間部１１２の内容物を一つずつ排出部１１４に移動させることで内容物を一つずつ取り出して食べることができ、以後取り出し部１１３を外部ケース１２０の内側へ押し入れて復元させることで排出部１１４を閉めて内容物の露出を防止することができる。
【００５１】
一方、図８から１２には、本考案の他の実施例による収納容器が図示されている。
【００５２】
図８で示したように、本考案の他の実施例による収納容器２００は、前述の一実施例の収納容器１００同様、ガムなどのように一定の大きさを有する内容物を多数収納して保管できる内部ケース２１０と、内部にて前記内部ケース２１０がスライド移動できるように組み立てられる外部ケース２２０から構成される。
【００５３】
前述の収納容器１００と違い、前記収納容器２００はスライド移動を制限するための係合構造が内部ケース２１０の外側の底面と外部ケース２２０の内側の底面に形成されており、前記外部ケース２２０を構成するアッパーケース２２１とロウアケース２２２の間に所定の嵌合構造が備えられている。
【００５４】
以下、前記収納容器２００の構成を説明するにあたり、前述の収納容器１００と同一の構造についての説明は省略されることもある。
【００５５】
図８及び図９で示したように、内部ケース２１０は多数の内容物を保管できる空間部２１２を有する保管部２１１と、前記内容物のうち、いずれか一つの内容物を収容して外部へ排出するようになる排出部２１４を有する取り出し部２１３が一体に形成されたもので、前記排出部２１４は空間部２１２と連通可能に形成されて空間部２１２から引入される一つの内容物を収容できるようになり、以後取り出し部２１３が外部ケース２２０の外に取り出されることによって、開放されて収容している一つの内容物を外部ケース２２０の外に排出できるようになる。
【００５６】
前記取り出し部２１３は、内部ケース２１０のスライド移動によって外部ケース２２０の外に取り出しできるようになる。
【００５７】
すなわち、前記内部ケース２１０は、多数の内容物を収容できる保管部２１１と、前記保管部２１１の先端に一体に形成された取り出し部２１３から構成され、前記取り出し部２１３にはその中央に前記保管部２１１の内容物のうち、いずれか一つを収容及び排出できる空間からなる排出部２１４が形成され、前記排出部２１４を通じて内容物を一つずつ吐出することになる。
【００５８】
このような内部ケース２１０は、外部ケース２２０の内側で前後方向にスライド移動できるように組み立てられ、前方へスライド移動する時、取り出し部２１３が外部ケース２２０の吐出口２２３を通じて外部ケース２２０の外に取り出されるようになる。
【００５９】
前記外部ケース２２０は、互いに結合されて内部ケース２１０を囲むようになるアッパーケース２２１とロウアケース２２２から構成されたもので、内部ケース２１０と内容物などを透視できるように透明な特性を有するプラスチック素材で製作可能である。
【００６０】
図８で示したように、ロウアケース２２２は内部ケース２１０の両側の外壁面が接する両側の内壁面(あるいは第１壁面部)の外側にそれぞれサイド空間部２２４を備え、前記第１壁面部２２６と共にサイド空間部２２４を囲む第２壁面部２２７を備える。
【００６１】
アッパーケース２２１との結合のために、ロウアケース２２２は第１壁面部２２６の外側面に形成される安着溝２２６aと、第２壁面部２２７の内側面に形成されるガイドスロット２２７aを備え、さらに、前記第２壁面部２２７の上側には保持溝２２７bが形成され、第１壁面部２２６の内側面にはガイド突起２２６cが形成される。
【００６２】
図１０で示したように、アッパーケース２２１はロウアケース２２２と結合する時、前記サイド空間部２２４に挿入される第１嵌合部２２８と第２嵌合部２２９を下側に一体に備え、前記保持溝２２７bに安着される安着突起２３０を第２嵌合部２２９の左右両側に配置して備える。
【００６３】
そして、前記安着溝２２６aの端には凹部２２６bが形成され、前記第２嵌合部２２９の端には前記凹部２２６bに挿入されて係合固定される係合突起２２９aが形成される。
【００６４】
図１１を参照して説明すると、アッパーケース２２１をロウアケース２２２の上に積んだ状態で結合させる時、第１嵌合部２２８と第２嵌合部２２９がサイド空間部２２４に挿入されながら第１壁面部２２６と第２壁面部２２７によって押圧され、これに第１及び第２嵌合部２２８、２２９が第１壁面部２２６と第２壁面部２２７側に作用する弾性復元力を発生させることによって、アッパーケース２２１とロウアケース２２２とが弾力性を持って嵌合されるようになる。
【００６５】
この時、第２嵌合部２２９の係合突起２２９aは、第１壁面部２２６の凹部２２６bに挿入されて係合固定される。
【００６６】
一方、外部ケース２２０の内部に組み立てられた内部ケース２１０のスライド移動をガイドするために、前記第１壁面部２２６の内側面にはガイド突起２２６cが突出して形成され、内部ケース２１０の両側の外壁面には左右方向に延長して形成されるガイドライン２１５が陥没して形成される。
【００６７】
また、外部ケース２２０の内側の底面と内部ケース２１０の外側の底面には、外部ケース２２０の内部で前記内部ケース２１０のスライド移動を制限するための係合構造が備えられる。
【００６８】
内部ケース２１０は、その両側の外壁面が外部ケース２２０の両側の内壁面(すなわち、両側の第１壁面部２２６)に接した状態で外部ケース２２０の内部にスライド移動できるように組み立てられるが、この時、内部ケース２１０と外部ケース２２０の間に結合状態を維持及び支持するために、内部ケース２１０の底面と外部ケース２２０の底面に内部ケース２１０のスライド移動を制限できる係合構造を備える。
【００６９】
具体的に、内部ケース２１０の底面には、鋸歯状の構造が一方向に連続して配列されるように形成された第１係合部２１６が構成され、外部ケース２２０の底面には前記第１係合部２１６に相応して鋸歯状の構造が一方向に連続して配列されるように形成された第２係合部２３１が構成される。
【００７０】
前記第１係合部２１６と第２係合部２３１は、互いに嵌合している状態で外力が加わると、いずれか一つの係合部を基準にして、他の係合部が一方向に移動できるようになる。
【００７１】
ここで、使用者が人為的に力を加えて内部ケース２１０を外部ケース２２０の外に押す前には、第１及び第２係合部２１６、２３１によって発生する嵌合力によって内部ケース２１０と外部ケース２２０の間の結合状態が維持され、使用者が前記嵌合力より大きい力を加えて内部ケース２１０を前方へ押すと、内部ケース２１０がスライド移動して外部ケース２２０の外へ押し出されるようになる(図１２参照)。
【００７２】
すなわち、例えば、内部ケース２１０が外部ケース２２０の内部で前方または後方へスライド移動する時、第１係合部２１６が第２係合部２３１に嵌合した状態で移動することになって、内部ケース２１０の移動を制限できるようになる。
【００７３】
一方、外部ケース２２０は、内部に組み立てられた内部ケース２１０の後端部を露出するための開口部２２５を備える。
【００７４】
なお、内部ケース２１０は、取り出し部２１３が保管部２１１に比べて相対的に低く形成され、外部ケース２２０は吐出口２２３の上端部が内部ケース２１０のスライド移動時、ストッパの役割をする。
【００７５】
前記で本考案の特定の実施例を説明したが、これによって本考案が限定されるのではなく、本考案は当業者によって多様に変更して実施されることができるので、本考案が属する技術分野で通常の知識を有する者が本考案の請求範囲内で実施できる多様な形態の実施例を全て含む。
【符号の説明】
【００７６】
１００: 収納容器
１１０: 内部ケース
１１１: 保管部
１１２: 空間部
１１３: 取り出し部
１１４: 排出部
１１５: 固定溝
１２０: 外部ケース
１２１: アッパーケース
１２２: ロウアケース
１２３: 吐出口
１２４: 係合突起
１２５: 開口部
２００: 収納容器
２１０: 内部ケース
２１１: 保管部
２１２: 空間部
２１３: 取り出し部
２１４: 排出部
２１５: ガイドライン
２１６: 第１係合部
２２０: 外部ケース
２２１: アッパーケース
２２２: ロウアケース
２２３: 吐出口
２２４: サイド空間部
２２５: 開口部
２２６: 第１壁面部
２２６a: 安着溝
２２６b: 凹部
２２６c: ガイド突起
２２７: 第２壁面部
２２７a: ガイドスロット
２２７b: 保持溝
２２８: 第１嵌合部
２２９: 第２嵌合部
２２９a: 係合突起
２３０: 安着突起
２３１: 第２係合部
【図１】
0003197235.tif 000003
【図２】
0003197235.tif 000004
【図３】
0003197235.tif 000005
【図４】
0003197235.tif 000006
【図５】
0003197235.tif 000007
【図６】
0003197235.tif 000008
【図７】
0003197235.tif 000009
【図８】
0003197235.tif 000010
【図９】
0003197235.tif 000011
【図１０】
0003197235.tif 000012
【図１１】
0003197235.tif 000013
【図１２】
0003197235.tif 000014